(57)【要約】【課題】組み立てた場合に、保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材とこれを用いた雨水貯留構造物を提供する。【解決手段】所定長さを有する複数の樹脂製パイプ状部材１と、所定長さを有しパイプ状部材１どうしを連結して三次元構造体Ａに組み立て可能な連結部材２とを備え、パイプ状部材１と連結部材２とから形成される三次元構造体Ａの内部に空間を形成可能にする雨水貯留構造用部材。【選択図】図３
2006104721.tif 000002
【特許請求の範囲】
【請求項１】
所定長さを有する複数の樹脂製パイプ状部材と、所定長さを有し前記パイプ状部材どうしを連結して三次元構造体に組み立て可能な連結部材とを備え、前記パイプ状部材と連結部材とから形成される三次元構造体の内部に空間を形成可能にする雨水貯留構造用部材。
【請求項２】
前記連結部材は、少なくともその端部において、前記パイプ状部材と略直角方向に嵌合して連結可能になっている請求項１に記載の雨水貯留構造用部材。
【請求項３】
前記三次元構造体は、少なくとも１０８ｋＮ／ｍ2以上の圧縮強度を有する請求項１又は２に記載の雨水貯留構造用部材。
【請求項４】
地面凹部に敷設された遮水材と、この遮水材の上面側に配置された請求項１〜３のいずれか１項に記載の雨水貯留構造用部材から組み立てられた三次元構造体と、この三次元構造体の上面側に配置された被覆層を有する雨水貯留構造物。
【発明の詳細な説明】
【技術分野】
【０００１】
本発明は雨水貯留構造用部材とこれを用いた雨水貯留構造物に関し、詳しくは、所定長さを有する複数の樹脂製パイプ状部材と、これらパイプ状部材を連結可能にする連結部材とを有する雨水貯留構造用部材とこれを用いた雨水貯留構造物に関する。
【背景技術】
【０００２】
近年、特に都市部で異常降雨や出水、あるいはその逆の異常乾燥といった問題が頻繁に生じており、その原因としてヒートアイランド現象が取り上げられている。かかる現象を緩和するため、雨水を利用する施設の構築が提案されており、雨水貯留構造物あるいは雨水貯留用充填材などの開発が進んでいる。
【０００３】
このような雨水貯留構造物として、例えば、地面にピットを堀り、その外表面に遮水シートを敷設して、その上面に複数の容器状部材を縦横および上下に積み上げ、更に最上部に覆土などを施して被覆し、雨水を貯留する構造物の発明がなされている（特許文献１）。
【０００４】
あるいは、中空体である複数の着脱自在支柱を、連結部材によって垂直に固定してなる雨水貯留用充填材であって、連結部材が着脱自在の連結桟および縁枠により一体的に連結する等して、運搬中における隅部での支柱の脱落を防止できるようにした発明がなされている（特許文献２）。
【特許文献１】特開昭６３−２６８８２３号公報
【特許文献２】特開２００４−１９２０５号公報
【発明の開示】
【発明が解決しようとする課題】
【０００５】
しかしながら、上記実施形態の雨水貯留構造物あるいは雨水貯留用充填材は、容器状部材や着脱自在支柱と連結部材とからなる雨水貯留用充填材を使用しており、点検用の十分な広さの開口部が形成されていないため、保守点検は実質上できず、永年の使用により土砂が蓄積して所定の機能を発揮し得なくなった場合にも、清掃作業は容易でなく、機能を復帰させることはできない。
【０００６】
のみならず、上記従来技術の容器状部材や充填材を運搬する場合は、これらが雨水を貯留するための大きな空間を内蔵して嵩張るため、搬送量の割に輸送コストが高くかかるという問題がある。しかも、これらの容器状部材や充填材は形状が固定されているため、雨水貯留浸透槽の形状に対して柔軟に対応できないという問題もある。
【０００７】
そこで、本発明の目的は、上記従来技術の有する問題点に鑑みて、組み立てた場合に、大きい開口部を確保できて保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材とこれを用いた雨水貯留構造物を提供することにある。
【課題を解決するための手段】
【０００８】
上記課題は、請求項記載の発明により達成される。すなわち、本発明に係る雨水貯留構造用部材の特徴構成は、所定長さを有する複数の樹脂製パイプ状部材と、所定長さを有し前記パイプ状部材どうしを連結して三次元構造体に組み立て可能な連結部材とを備え、前記パイプ状部材と連結部材とから形成される三次元構造体の内部に空間を形成可能にすることにある。
【０００９】
この構成によれば、樹脂製パイプ状部材と連結部材とで三次元構造体を組み立てるため、パイプ状部材と連結部材の長さを選択するだけで、容易に所定の広さの開口部を形成することができ、しかも、施工現場に輸送する際には、樹脂製パイプ状部材と連結部材とを個別に、組立前の状態で輸送することになるので、従来技術のように、少なくない空間と体積を有する容器状部材や充填材として輸送するものではないため、輸送時の嵩が著しく小さくて済み、効率の良い輸送ができることになり、輸送コストを大幅に低減できる。のみならず、樹脂製パイプ状部材と連結部材の長さ、径など形状を変更することにより、雨水貯留浸透槽の形状に応じて柔軟に対応でき、従来技術に比べて設計の自由度が格段に向上する。
【００１０】
その結果、組み立てた場合に、大きい開口部を確保できて保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材を提供することができた。
【００１１】
前記連結部材は、少なくともその端部において、前記パイプ状部材と略直角方向に嵌合して連結可能になっていることが好ましい。
【００１２】
この構成によれば、パイプ状部材に連結部材を嵌合させてパイプ状部材どうしを連結し、パイプと接続部材とを互いに直角方向になるように接続することを繰り返すことにより、現地において容易に三次元構造体に組み立てることができる。尚、１のパイプ状部材に２〜４の連結部材を連結する場合の高さ調節には、所定高さのスペーサーを使用する等により、容易に行うことができる。
【００１３】
前記三次元構造体は、少なくとも１０８ｋＮ／ｍ2以上の圧縮強度を有することが好ましい。
【００１４】
この構成によれば、最上部に覆土２ｍ程度を施工したとしても、土圧の３倍以上となる十分な強度を有する。
【００１５】
また、本発明に係る雨水貯留構造の特徴構成は、地面凹部に敷設された遮水材と、この遮水材の上面側に配置された請求項１〜３のいずれか１項に記載の雨水貯留構造用部材から組み立てられた三次元構造体と、この三次元構造体の上面側に配置された被覆層を有することにある。
【００１６】
この構成によれば、組み立てた場合に、大きい開口部を確保できて保守点検が容易であり、しかも個々の構成部材から組立を容易にして、現地での組立を可能にすることにより輸送コストを低減でき、かつ雨水貯留浸透槽の形状に対して柔軟に対応可能な雨水貯留構造用部材を用いた雨水貯留構造物を提供することができる。
【発明を実施するための最良の形態】
【００１７】
本発明の実施形態を、図面を参照して詳細に説明する。図１、２は、本実施形態に係る雨水貯留構造用組立部材として使用するパイプ状部材１と連結部材２を示す。すなわち、図１（イ）は、パイプ状部材１の正面断面構造を示し、（ロ）は、ロ−ロ断面構造を示す。図２（イ）は連結部材２の平面構造、（ロ）は正面断面構造、（ハ）はハ−ハ断面構造を示す。図３、４は、図１、２に示すパイプ状部材１と連結部材２とを組み合わせて、三次元構造体であるジャングルジム状の雨水貯留構造用組立物Ａを組み立てる手順を示す。
【００１８】
パイプ状部材1は樹脂製からなり、図１に示すように、円筒部１ａとその下部にやや拡径された拡径部１ｂとを有して略円筒形をしている。そして、拡径部１ｂの内径は、パイプ状部材1が互いに高さ方向に連結可能に、円筒部１ａの外径よりやや大きくなっていて、円筒部１ａに外嵌できるようになっている。連結部材２は、パイプ状部材1と同様に樹脂製からなり、図２に示すように、両端部に形成されている円筒形の接続端２ａとこれら接続端２ａどうしを接続する軸部２ｂからなっていると共に、軸部２ｂは図２（ハ）に示すように、断面略＋形をしている。
【００１９】
パイプ状部材１と連結部材２とは、図３に示すように、パイプ状部材1の複数本を予め立設しておき、これらパイプ状部材1に接続部材２の接続端２ａを嵌合させて、ジャングルジム状の雨水貯留構造用組立物Ａを組み立てることができる。接続部材２の円筒形接続端２ａは、パイプ状部材1の円筒部１ａに外嵌されると共に、拡径部１ｂの上部で係止され、この拡径部１ｂの外径と接続部材２の円筒形接続端２ａの外径とが略同寸になっている。このようにすると、両部材を組み立てた際に、雨水貯留構造用組立物Ａにおける縦方向の凹凸が少なくなり、この部分での土砂その他が積層されるのを防止できて好ましい。もっとも、パイプ状部材1と接続部材2との連結は、パイプ状部材１と連結部材２とを連結した後、ピット内に立設するようにしてもよい。
【００２０】
更に、２本のパイプ状部材１に１本の連結部材２を連結した後、これらを互いに連結するため、図４に示すように、更に連結部材２をパイプ状部材１に嵌合して連結する。その場合、新たな連結部材２の接続端２ａを既存の連結部材２の接続端２ａの上部に重ねることになるが、複数の連結を繰り返すうちに、高さに段差を生じることがあり、その場合には、所定高さを有し、パイプ状部材1の円筒部１ａに外嵌可能な内径を有する円筒形のスペーサー３を用いて、段差を調整することができる。また、高さ方向にパイプ状部材１どうしを連結する場合にも、適度な長さのスペーサー３を用いて行うことができる。このような動作を繰り返すことにより、ジャングルジム状の雨水貯留構造用組立物Ａを構築することができる。
【００２１】
つぎに、本実施形態に係る雨水貯留構造用組立部材を組み立てた雨水貯留構造用組立物Ａを、雨水貯留構造物に用いる施工例を説明する。
【００２２】
図５に示すように、地面に１〜５ｍ程度の凹部（ピット）を掘削・形成すると共に、ピット周囲に側溝７を形成し、ピットの底面に砕石、砂などを敷設・施工し平準化して基礎Ｂを形成する。その表面に遮水シート４を敷設した後、樹脂製のパイプ状部材1と接続部材２とから、図１〜４に示す手順で、ピットの内容積に応じたジャングルジム状の雨水貯留構造用組立物Ａを構成する。ピットの内容積が大きい場合には、ピット内で雨水貯留構造用組立物Ａを組み立ててもよいし、雨水貯留構造用組立物Ａをピット外で組み立てた後、ピット内に挿入するようにしてもよい。このようにして組み立てた雨水貯留構造用組立物Ａは、樹脂製あるいは金属製などのベルトで締結・固定されることが好ましい。更に、側面外周部には、角形のパネルをパイプ間に嵌め込んで側面外周部での平坦性を確保すると共に、強度を高めるようにしてもよい。
【００２３】
雨水貯留構造用組立物Ａの側面部Ｃには、必要に応じて埋め戻しを行うと共に、側溝７よりピット内に雨水を流し込み可能に連通する配管８を敷設し、更に、上面に遮水シート５を被覆し、ついで０．５〜１ｍ程度の覆土６をする。ここに、遮水シート５と覆土６とは被覆層を構成する。もっとも、雨水貯留構造用組立物上面に遮水シート５を被覆する代わりに、透水性シートを被覆して雨水を浸透させるようにしてもよい。側溝７は、その底部に泥溜９が形成されるように、底部が幾分深くなっている。
【００２４】
三次元構造体である雨水貯留構造用組立物Ａは、少なくとも１０８ｋＮ／ｍ2以上の圧縮強度を有することが好ましい。このようにすれば、最上部に覆土２ｍ程度（負荷：約３６ｋＮ／ｍ2 ）を施工したとしても、土圧の３倍以上となる十分な強度を有する。具体的には、長さ約５０ｃｍのパイプ状部材を使用する場合、４本／ｍ2 で少なくとも２７ｋＮ／本の圧縮強度を有するものを使用し、長さ約４０ｃｍのパイプ状部材を用いる場合には、６．２５本／ｍ2 で少なくとも圧縮強度約１７．２８ｋＮ／本を有するパイプ状部材を用いる。
【００２５】
このようにすることにより、一旦雨水を貯留して、庭園などへの散水、洗浄水、非常用水など各種用途に利用したり、大量の雨水を徐々に放流できるような調整機能を備えさせたりすることができる。しかも、コンクリートで構成する場合に比べて、養生期間などが不要であることから、雨水貯留構造物の構築速度を格段に早くすることができる。
【実施例】
【００２６】
外径約６０ｍｍ、肉厚約５．５ｍｍ、長さ約５０ｃｍのポリエチレン製パイプ（積水化学工業製。商品名：エスロンハイパーＰＥ）を用いて、図１〜４に示す手順により、高さ約３ｍ、縦横約３ｍの雨水貯留構造組立物を形成し、深さ約５ｍの所定内容積を有するピット内に配置し、図５に示すような、雨水貯留構造物を構築した。このポリエチレン製パイプは、長さ方向の圧縮強度約２７ｋＮ／本を有しており、１ｍ2当たり４本を使用すると、圧縮強度１０８ｋＮ／ｍ2が得られ、覆土を２ｍ（負荷：約３６ｋＮ／ｍ2）とした場合でも、約３倍強の圧縮強度が得られるので、十分に実用的であることがわかる。
【００２７】
実際、１ｍ×１ｍ×１ｍの大きさで雨水貯留構造物を構築し、その上から２ｍの覆土に相当する重錘を載置して１年以上経過したが、使用上問題となる変形その他のトラブルは一切生じなかった。
〔別実施の形態〕
（１）上記実施形態の場合、樹脂製パイプ状部材の構成材料としてポリエチレン製を例示したが、これに限定されるものではなく、ポリプロピレン、ポリ塩化ビニル、ＰＥＴ（ポリエチレンテレフタレート）等を使用してもよいし、必要な強度が得られれば、各種の熱可塑性樹脂を使用することができる。
（２）パイプ状部材と接続部材とは、同じ材質の樹脂製としたが、異なる材質の樹脂製であってもよい。
（３）パイプ状部材、接続部材の構成材料に、粉体状の炭酸カルシウム（炭カル）等を混入させるようにしてもよい。このようにすると、構成材料の比重を大きくすることができ、雨水を貯留する際に生じる浮力に抗することができ、浮力対策として特別な施工が不必要となり、小さいスペースでもより大きい貯水量が確保できて好ましい。具体的には、１３％程度の炭カルを樹脂に混入させることにより、比重を１．０以上にすることができる。
【産業上の利用可能性】
【００２８】
本発明に係る雨水貯留構造物は、雨水を貯留して利用するタンクとしての用途に止まらず、ビオトープ等として利用することもできる。
【図面の簡単な説明】
【００２９】
【図１】本発明の一実施形態に係る雨水貯留構造用部材であるパイプ状部材の(イ)正面断面図、(ロ)ロ−ロ断面図
【図２】本発明の一実施形態に係る雨水貯留構造用部材である接続部材の(イ)平面図、(ロ)正面断面図、（ハ）ハ−ハ断面図
【図３】パイプ状部材と接続部材とを用いた雨水貯留構造用組立物Ａの組立手順を説明する斜視図
【図４】パイプ状部材と接続部材とを用いて雨水貯留構造用組立物Ａの組立手順を説明する斜視図
【図５】図１の雨水貯留構造用部材を用いた雨水貯留構造物の概略断面図
【符号の説明】
【００３０】
１          パイプ状部材
２          接続部材
５，６      被覆層
Ａ          三次元構造体
【図１】
2006104721.tif 000003
【図２】
2006104721.tif 000004
【図３】
2006104721.tif 000005
【図４】
2006104721.tif 000006
【図５】
2006104721.tif 000007